(57)【要約】  【課題】  筆記具本体の収納状態で係合突起が係合解除方向へ回転するのを完全に防止する。  【解決手段】  周方向案内部３ｃの一端側よりもロック用凹部３ｄと対向する末端側が筆記具本体２の挿入方向前方に配置されるため、係合突起４を付勢部材２ｃの付勢力に抗して係合溝３の周方向案内部３ｃへ向け挿入すると、挿入された係合突起４が、周方向案内部３ｃに導かれて周方向へ自然に移動し、ロック用凹部３ｄと対向する末端側で止まる。そして、該末端側で使用者による押圧力が緩められると、係合突起４は、付勢部材２ｃの付勢力により挿入方向と逆方向へ移動し、ロック用凹部３ｄ内に係止される。また、この係止状態で、不意の衝撃等によって係合突起４が周方向案内部３ｃ側へ移動した場合でも、その移動した係合突起４は、周方向案内部３ｃに当接され案内されることで、ロック用凹部３ｄ内へ戻される。  【選択図】      図１
2005145003.tif 000002
【特許請求の範囲】
【請求項１】
筒状ケースの内部に筆記具本体を挿入して周方向へ回転することで、係合突起を係合溝の周方向案内部に沿って移動させ、この移動した係合突起を、付勢部材の付勢力により該筆記具本体の挿入方向と逆方向へ付勢して、前記周方向案内部の末端側に連続するロック用凹部に周方向へ移動不能に係止させる携帯型筆記用具において、
前記周方向案内部は、その一端側よりも前記ロック用凹部と対向する末端側が、筆記具本体の挿入方向前方に配置されていることを特徴とする携帯型筆記用具。
【請求項２】
上記付勢部材は、上記筆記具本体の挿入及び回転に連動して圧縮されるスプリングであり、その巻き方向を、該筆記具本体の挿入時の回転方向と逆方向にしていることを特徴とする請求項１記載の携帯型筆記用具。
【請求項３】
筒状ケースの内部に筆記具本体を挿入して周方向へ回転することで、付勢部材を圧縮しながら回転させるとともに、係合突起を係合溝の周方向案内部に沿って移動させ、この移動した係合突起を、前記付勢部材の付勢力により該筆記具本体の挿入方向と逆方向へ付勢して、前記周方向案内部の末端側に連続するロック用凹部に周方向へ移動不能に係止させる携帯型筆記用具において、
前記付勢部材は、前記筆記具本体の挿入及び回転に連動して圧縮されるスプリングであり、その巻き方向を、該筆記具本体の挿入時の回転方向と逆方向にしていることを特徴とする携帯型筆記用具。
【発明の詳細な説明】
【技術分野】
【０００１】
本発明は、身体に吊り下げて携行可能な筒状ケース入りの携帯型筆記用具に関する。
詳しくは、筒状ケースの内部に筆記具本体を挿入して周方向へ回転することで、係合突起を係合溝の周方向案内部に沿って移動させ、この移動した係合突起を、付勢部材の付勢力により該筆記具本体の挿入方向と逆方向へ付勢して、前記周方向案内部の末端側に連続するロック用凹部に周方向へ移動不能に係止させる携帯型筆記用具に関する。
【背景技術】
【０００２】
従来、この種の携帯型筆記用具として、筆記具本体内にスプリングを内蔵して伸縮自在な構造とし、この筆記具本体の外面に係合突起が突設され、該筆記具本体を収納する筒状ケースの内面に、前記係合突起を係合させる係合溝が凹設されたものがある（例えば、特許文献１参照）。
この携帯型筆記用具によれば、使用者が筆記具本体のつまみ部を摘んで該筆記具本体を前記筒状ケース内へ押し込むと、先ず、筆記具本体の先端が筒状ケースの内部に当接し、前記スプリングが圧縮されて筆記具本体自体が収縮する。そして、その収縮に伴って、前記係合突起は、前記係合溝の入口から軸方向へ侵入し、この係合溝の途中で突き当たることで、それ以上の挿入が不能になる。
その後、使用者が前記つまみ部を押し込み方向と直角な周方向へ回転操作すると、前記係合突起が周方向へ移動する。
更に、前記係合突起が周方向へ回転して前記係合溝の末端近くまで至った状態で、上記押し込み操作が解除されると、前記係合突起は、上記スプリングが伸長しようとする付勢力により、押し込み方向と逆方向に押し戻されて、上記係合溝のロック用凹部に入り回転不能に係止される。したがって、筆記具本体は、筒状ケース内に縮んだ状態で脱落不能に収納される。
【０００３】
しかし乍ら、このような従来の携帯型筆記用具によれば、係合溝に沿った係合突起の操作方向が、軸方向への挿入操作と、それと直角な周方向への回転操作との二方向になる。そのため、使用者はこれら二方向の操作を途中から意識的に切り換える必要があるが、軸方向への挿入操作は次に回転操作が続くために最後まで確実に行うものの、直角な周方向への回転操作は次の押し込み解除を意識して最後まで行われないことがある。
特に慌てて操作したり無意識で操作した場合には、直角な周方向への回転操作が最後まで至らない傾向が多く、この途中状態で押し込み操作を解除すると、スプリングの付勢力で係合突起が押し込み方向と逆方向に押し戻されてロック用凹部に入らず、係合突起が係合解除方向へ回転して、筒状ケース内から筆記具本体が抜け落ちることがある。
しかも、従来の携帯型筆記用具は、筒状ケースの先端に吊下部材を設けて、身体に吊り下げて携行する使用方法が一般的であるため、上述したように筒状ケース内から筆記具本体が抜け落ちると、そのまま紛失してしまうという問題があった。
また、使用者は右利きが多いために回転操作は右回転に設定されるのが一般的であり、筆記具本体に内蔵されるスプリングとしては、巻き方向が右巻きのものが一般的に多く流通している。
このように回転操作方向とスプリングの巻き方向とが同じ方向である場合には、スプリングを圧縮しながらその巻き方向と同じ方向へ更に回転することになり、その結果、このスプリングにはその特性上、回転操作方向と逆方向、すなわち係合突起の係合解除方向へ回転させようとする応力が残ってしまう傾向があった。
詳しく説明すれば、右巻きスプリングを圧縮したまま右回転すると、右巻きスプリングはその端面に引っ掛かる部分が現れるとともに遠心方向へ膨らんで応力が残ってしまう。
その結果、上述した係合突起がロック用凹部に入らない非ロック状態だけでなく、係合突起がロック用凹部に入ったロック状態であっても、強い衝撃や振動等が与えられると、上記スプリングに残った逆方向の応力によって係合突起が係合解除方向へ移動させて、筒状ケース内から筆記具本体が抜け落ちて紛失するという問題があった。
【特許文献１】実用新案登録第３０６３１７４号公報（第６−９頁、図１−図２）
【発明の開示】
【発明が解決しようとする課題】
【０００４】
本発明は、上記従来事情に鑑みてなされたもので、その課題とするところは、筆記具本体の収納状態で係合突起が係合解除方向へ回転するのを完全に防止できる携帯型筆記用具を提供することにある。
【課題を解決するための手段】
【０００５】
上記課題を解決するために、第一の発明では、筒状ケースの内部に筆記具本体を挿入して周方向へ回転することで、係合突起を係合溝の周方向案内部に沿って移動させ、この移動した係合突起を、付勢部材の付勢力により該筆記具本体の挿入方向と逆方向へ付勢して、前記周方向案内部の末端側に連続するロック用凹部に周方向へ移動不能に係止させる携帯型筆記用具において、前記周方向案内部は、その一端側よりも上記ロック用凹部と対向する末端側が、筆記具本体の挿入方向前方に配置されていることを特徴とする。
また、第二の発明では、上記第一の発明の構成に加えて、上記付勢部材は、上記筆記具本体の挿入及び回転に連動して圧縮されるスプリングであり、その巻き方向を、該筆記具本体の回転方向と逆方向にしていることを特徴とする。
また、第三の発明では、筒状ケースの内部に筆記具本体を挿入して周方向へ回転することで、付勢部材を圧縮しながら回転させるとともに、係合突起を係合溝の周方向案内部に沿って移動させ、この移動した係合突起を、前記付勢部材の付勢力により該筆記具本体の挿入方向と逆方向へ付勢して、前記周方向案内部の末端側に連続するロック用凹部に周方向へ移動不能に係止させる携帯型筆記用具において、前記付勢部材は、前記筆記具本体の挿入及び回転に連動して圧縮されるスプリングであり、その巻き方向を、該筆記具本体の挿入時の回転方向と逆方向にしていることを特徴とする。
【発明の効果】
【０００６】
本発明は、上記構成により下記の作用効果を奏する。
第一の発明によれば、周方向案内部の一端側よりもロック用凹部と対向する末端側が筆記具本体の挿入方向前方に配置されているため、係合突起を付勢部材の付勢力に抗して係合溝の周方向案内部へ向け挿入すると、挿入された係合突起が、周方向案内部に導かれて周方向へ自然に移動し、ロック用凹部と対向する末端側で止まる。そして、該末端側で使用者による押圧力が緩められると、係合突起は、付勢部材の付勢力により挿入方向と逆方向へ移動し、ロック用凹部内に係止される。
また、この係止状態で、不意の衝撃等によって係合突起が周方向案内部側へ移動した場合でも、その移動した係合突起は、周方向案内部に当接して、ロック用凹部３ｄと対向する末端側へ導かれることで、ロック用凹部内へ戻される。
したがって、筆記具本体の収納状態で係合突起が係合解除方向へ回転するのを完全に防止することができる。
よって、軸方向への挿入操作と直角な周方向への回転操作とに使用者が操作方向を途中から意識的に切り換える必要がある従来技術と比べ、特に慌てて操作したり無意識で操作したり、あるいは係合突起に不意の衝撃を受けたり等した場合でも、筒状ケース内から筆記具本体が抜け落ちて紛失することがない。
【０００７】
第二の発明によれば、巻き方向が該筆記具本体の挿入時の回転方向と逆方向のスプリングを使用することにより、このスプリングを筆記具本体の挿入及び回転に連動して圧縮しながら回転させても、筆記具本体の回転方向と逆方法、すなわち係合突起をロック用凹部から離れる係合解除方向へ回転させようとする応力が該スプリングに残らない。
したがって、スプリングに残った逆方向の応力により係合突起が係合解除方向へ回転するのを完全に防止することができる。
よって、スプリングに残った逆方向の応力によって係合突起が係合解除方向へ移動する恐れのある従来技術と比べ、スプリングに残った逆方向の応力によって係合突起が係合解除方向へ移動し、筆記具本体が筒状ケース内から抜け落ちて紛失することがない。
【０００８】
第三の発明によれば、巻き方向が該筆記具本体の挿入時の回転方向と逆方向のスプリングを使用することにより、このスプリングを筆記具本体の挿入及び回転に連動して圧縮しながら回転させても、筆記具本体の回転方向と逆方法、すなわち係合突起をロック用凹部から離れる係合解除方向へ回転させようとする応力が該スプリングに残らない。
したがって、筆記具本体の収納状態で係合突起が係合解除方向へ回転するのを完全に防止することができる。
できる。
よって、スプリングに残った逆方向の応力によって係合突起が係合解除方向へ移動する恐れのある従来技術と比べ、スプリングに残った逆方向の応力によって係合突起が係合解除方向へ移動し、筆記具本体が筒状ケース内から抜け落ちて紛失することがない。
【発明を実施するための最良の形態】
【０００９】
以下、本発明の一実施例を図面に基づいて説明する。
本発明の携帯型筆記用具Ａは、図１（ａ）（ｂ）に示す如く、実用新案登録第３０６３１７４号公報に記載されるものと略同様に用いられる所謂携帯型ボールペンであり、筒状ケース１と、その開口部１ａから挿入して収納される筆記具本体２とから構成され、この筒状ケース１の先端側に取り付けられた吊下部材１ｂによって、衣服の任意の箇所や携帯電話等に吊り下げて携帯できるものである。
【００１０】
前記筆記具本体２は、その軸筒が軸方向へ摺動自在に嵌合する前軸２ａと後軸２ｂとで軸方向へ伸縮自在な構造に構成され、この後軸２ｂに内蔵した付勢部材２ｃによって、前軸２ａ及びそれに内蔵された中芯２ｄを、突出させる方向へ付勢している。
更に、後軸２ｂの後端には、操作用のつまみ部２ｅが、筆記具本体２を筒状ケース１内に収納した状態でも露出するように形成されている。
【００１１】
また、前記筒状ケース１の先端側内部には、前記筆記具本体２の前軸２ａの先端部が係合する係止段部１ｃを形成し、この係止段部１ｃの中央には、前記筆記具本体２の中芯２ｄが入る通孔１ｄ又は凹部を形成している。
【００１２】
そして、前記筒状ケース１の開口部１ａ内へ筆記具本体２を挿入した際に機能する係合構造は、相互に対向して配置される係合溝３と、それに沿って移動可能な係合突起４とから構成され、これら係合溝３及び係合突起４のどちらか一方を、筒状ケース１の内面に配設し、他方を筆記具本体２の外面に夫々対向させて配設する。
【００１３】
本実施の形態の好ましい一例によれば、筒状ケース１の内周面に円筒状の中駒１ｅを回転不能に接着固定し、この中駒１ｅにおいて筒状ケース１の開口部１ａ側に、複数の係合溝３を周方向へ等間隔毎に凹設し、筆記具本体２の外周面には、複数の係合突起４を周方向へ等間隔毎に突設している。
なお、この係合溝３は、中駒１ｃを用いることなく、筒状ケース１の内周面に直接形成することも可能である。
【００１４】
各係合溝３は、図１（ａ）（ｂ）及び図２に示す如く、筒状ケース１の開口部１ａ側に開設された入口３ａから筆記具本体２の挿入方向へ直線状に延びる軸方向案内部３ｂと、この軸方向案内部３ｂの挿入方向前方部分から周方向どちらか一方へ連続する周方向案内部３ｃと、この周方向案内部３ｃにおいて軸方向案内部３ｂと反対側から前記挿入方向と逆方向へ連続するロック用凹部３ｄとからなる。
【００１５】
また、この周方向案内部３ｃは、前記軸方向案内部３ｂの挿入方向前方部分と連続する一端側よりも前記ロック用凹部３ｄと対向する末端側を筆記具本体２の挿入方向前方に位置するように傾斜させて形成する。
【００１６】
本実施の形態の好ましい一例によれば、軸方向案内部３ｂの挿入方向前方部分から周方向案内部３ｃを右回転方向へ直線状に傾斜させるとともに、これら軸方向案内部３ｂの挿入方向前方部分と周方向案内部３ｃの一端側部分とを円弧状に連続させている。
なお、他の好ましい態様として、例えば図３に示す如く、前記軸方向案内部３ｂの挿入方向前方部分から周方向案内部３ｃの全長に亘って略円弧状に傾斜させても良い。
【００１７】
更に、前記ロック用凹部３ｄの形状は、それに沿って前記係合突起４が軸方向案内部３ｂ側へ移動しても、上記付勢部材２ｃの付勢力により該ロック用凹部３ｄ内へ戻るように、図示例の如く軸方向案内部３ｂへ向けて上記周方向案内部３ｃと逆方向へ傾斜させることが好ましい。すなわち、係合溝３の全体形状は、図示したように略まさかり型に形成することが好ましい。
【００１８】
一方、上記筆記具本体２の後軸２ｂに内蔵される付勢部材２ｃとしては、その巻き方向が前記係合溝３と前記係合突起４との係合方向と逆方向のスプリングを使用する。
本実施の形態の好ましい一例によれば、前記係合突起４の軸方向案内部３ｂから周方向案内部３ｃを右回転方向へ連続させたため、それと逆方向の左巻きスプリングを使用している。
【００１９】
次に、斯かる携帯型筆記用具Ａの作用効果について説明する。
先ず、図１（ａ）に示す如く、筒状ケース１の開口部１ａから筆記具本体２を抜き出した状態において、筆記具本体２は内蔵した左巻きスプリング２ｃ（付勢部材）により、後軸２ｂから前軸２ａ及び中芯２ｄが突出して伸長している。
【００２０】
この伸長した筆記具本体２のつまみ部２ｅを摘んで、筒状ケース１の開口部１ａから該筆記具本体２を押し込むと、その前軸２ａの先端部が筒状ケース１の係止段部１ｃに当接することで、左巻きスプリング２ｃを圧縮して筆記具本体２自体が縮み、これと同時に、筆記具本体２外面の係合突起４が、筒状ケース１内面の係合溝３の入口３ａから軸方向案内部３ｂに沿って軸方向へ侵入する。
【００２１】
この際、使用者は単に筆記具本体２を軸方向へ押し込み、その係合突起４を係合溝３の入口３ａから軸方向案内部３ｂに沿って周方向案内部３ｃの一端側へ向け挿入するだけで、係合突起４が、図２又は図３に示す如く該軸方向案内部３ｂから何の抵抗もなくスムーズに周方向案内部３ｃの一端側へ進入し、そのまま該周方向案内部３ｃの傾斜面に沿って周方向へ自然に移動しながらロック用凹部３ｄと対向する末端側まで一気に導かれて止まる。
【００２２】
この状態で使用者が前記押し込み操作を解除すれば、上記左巻きスプリング２ｃが伸長しようとする付勢力により、該係合突起４が、押し込み方向と逆の軸方向に押し戻されて、そのまま前記ロック用凹部３ｄに入り回転不能に係止され、それにより、筒状ケース１内に筆記具本体２が縮んだ状態で脱落不能に収納される。
【００２３】
その結果、使用者が操作方向を挿入方向から回転方向へ途中から意識的に切り換えなくても、係合突起４をロック用凹部３ｄへ確実に誘導し係止させることができる。
また、この係止状態で、不意の衝撃等によって係合突起４が周方向案内部３ｃ側へ移動した場合でも、その移動した係合突起４は、傾斜した周方向案内部３ｃに当接して、ロック用凹部３ｄと対向する末端側へ導かれることで、ロック用凹部３ｄ内へ戻される。
よって、特に慌てて操作したり無意識で操作したり、あるいは係合突起４に不意の衝撃を受けたり等した場合でも、筆記具本体２の収納状態で係合突起４が係合解除方向へ回転するのを完全に防止することができる。
【００２４】
更に、巻き方向が該筆記具本体２の挿入時の回転方向と逆方向の左巻きスプリング２ｃを使用したので、この左巻きスプリング２ｃを筆記具本体２の挿入及び回転に連動して圧縮しながら右回転させても、筆記具本体２の回転方向と逆方法、すなわち係合突起４をロック用凹部３ｄから離れる係合解除方向へ回転させようとする応力が該左巻きスプリング２ｃに残らない。
その結果、スプリングに残った逆方向の応力により係合突起４が係合解除方向へ回転するのを完全に防止することができるという利点がある。
【００２５】
尚、上記携帯型筆記用具Ａによれば、筒状ケース１内に収容された筆記具本体２に対して、開口部１ａから排出する方向への力を作用させる付勢部材２ｃが、筆記具本体２に内蔵した左巻きスプリングである場合を示したが、本発明はこれに限定されず、この筆記具本体２に内蔵した付勢部材２ｃに加えて、図示せぬが例えば実用新案登録第３０６３１７４号公報に記載される如く、筒状ケース１の内部に、筆記具本体２を開口部１ａ側へ付勢するスプリングを追加配備するようにしても良い。
【００２６】
更に前記筆記具本体２の軸筒を、前記付勢部材２ｃにより前軸２ａと後軸２ｂとで軸方向へ伸縮自在な構造に構成したが、本発明は、これに限定されず、前記付勢部材２ｃを内蔵せずに筆記具本体２の軸筒を伸縮不能な一体構造としても良い。
この場合には、実用新案登録第３０６３１７４号公報に記載される如く、筒状ケース１の内部に、筆記具本体２を開口部１ａ側へ付勢するスプリングを配備する必要がある。
【００２７】
また、上記筆記具Ａによれば、所謂携帯型ボールペンの一例を示したが、本発明は、これに限定されず、ボールペン以外の例えばシャープペンシルやサインペンなどであっても良い。
【図面の簡単な説明】
【００２８】
【図１】本発明の一実施例を示す携帯型筆記用具の一部切欠正面図であり、（ａ）が筒状ケースから筆記具本体を抜き出した状態を示しており、（ｂ）は、筒状ケース内に筆記具本体を収納した状態を示している。
【図２】係合溝の展開図である。
【図３】係合溝の変形例を示す展開図である。
【符号の説明】
【００２９】
１  筒状ケース                        ２  筆記具本体
２ｃ  付勢部材（左巻きスプリング）    ３  係合溝
３ｃ  周方向案内部                    ３ｄ  ロック用凹部
４  係合突起
【図１】
2005145003.tif 000003
【図２】
2005145003.tif 000004
【図３】
2005145003.tif 000005